(57)【要約】【課題】メディアプロジェクタシステムを提供する。【解決手段】メディアコンテンツを再生するように構成されるメディアプレイヤ（１１０）と、メディアプレイヤに動作可能に結合されるプロジェクタ（１００）と、メディアプレイヤ及びプロジェクタに動作可能に結合される制御ユニット（１４０）とを具備するシステムが提供される。制御ユニットは、メディアプレイヤに関連するオンスクリーンディスプレイ状態を検出するように構成され、制御ユニットは、オンスクリーンディスプレイ状態を検出することに応じて、オンスクリーンディスプレイ状態に関連し且つメディアプレイヤによって提供される第１の情報がプロジェクタによって表示されないようにするように構成される。【選択図】図１
2008506313.tif 000002
【特許請求の範囲】
【請求項１】
システム（１０）であって、
メディアコンテンツを再生するように構成されるメディアプレイヤ（１２０）と、
該メディアプレイヤに動作可能に結合されるプロジェクタ（１００）と、
前記メディアプレイヤ及び前記プロジェクタに動作可能に結合される制御ユニット（１４０）と
を具備し、
前記制御ユニットは、前記メディアプレイヤに関連するオンスクリーンディスプレイ状態を検出するように構成され、前記制御ユニットは、前記オンスクリーンディスプレイ状態を検出することに応じて、該オンスクリーンディスプレイ状態に関連し且つ前記メディアプレイヤによって提供される第１の情報が前記プロジェクタによって表示されないようにするように構成される
システム。
【請求項２】
前記オンスクリーンディスプレイ状態は、
統合コントロールデバイスからのユーザ入力
を含む
請求項１に記載のシステム。
【請求項３】
前記オンスクリーンディスプレイ状態は、
リモートコントロールデバイスからのユーザ入力
を含む
請求項１に記載のシステム。
【請求項４】
前記オンスクリーンディスプレイ状態は、
前記メディアプレイヤの状態
を含む
請求項１に記載のシステム。
【請求項５】
前記制御ユニットは、前記オンスクリーンディスプレイ状態を検出することに応じて前記第１の情報の代りに第２の情報が前記プロジェクタによって表示されるようにするように構成される
請求項１に記載のシステム。
【請求項６】
前記メディアプレイヤ、前記プロジェクタ及び前記制御ユニットに動作可能に結合されるソース選択ユニット（１２０）
をさらに具備し、
前記制御ユニットは、前記ソース選択ユニットに対し、前記オンスクリーンディスプレイ状態を検出することに応じて、該オンスクリーンディスプレイ状態に関連し且つ前記メディアプレイヤによって提供される前記第１の情報が前記プロジェクタによって表示されないようにさせるように構成される
請求項１に記載のシステム。
【請求項７】
前記制御ユニットは、前記オンスクリーンディスプレイ状態を検出することに応じて、前記ソース選択ユニットに対し、前記第１の情報の代りに前記プロジェクタにより表示されるべき第２の情報を提供させるように構成される
請求項６に記載のシステム。
【請求項８】
前記制御ユニットは、前記ソース選択ユニットに対し前記第２の情報を提供するように構成される
請求項７に記載のシステム。
【請求項９】
前記メディアコンテンツは、前記メディアプレイヤにより再生可能なディスクに格納される
請求項１に記載のシステム。
【請求項１０】
プロジェクタ（１００）及びメディアプレイヤ（１１０）を含むメディアプロジェクタシステムの制御ユニット（１４０）によって実行される方法であって、
前記メディアプレイヤに関連するオンスクリーンディスプレイ状態を検出することと、
前記オンスクリーンディスプレイ状態を検出することに応じて、該オンスクリーンディスプレイ状態に関連し且つ前記メディアプレイヤによって提供される第１の情報が前記プロジェクタによって表示されないようにすることと
を含む方法。
【発明の詳細な説明】
【技術分野】
【０００１】
本発明は、メディアプロジェクタシステムに関する。
【背景技術】
【０００２】
［背景］
ディスプレイシステムで使用される種々のコンポーネントの製造業者は、動作中に表示するためにオンスクリーンディスプレイ（ＯＳＤ）情報を含めることが多い。たとえば、プロジェクタ又は他のタイプのディスプレイ装置は、装置の製造業者か又は装置に関連する他の状態情報を示すＯＳＤ情報を表示する場合がある。同様に、デジタルビデオディスク（ＤＶＤ）プレイヤは、装置の製造業者か若しくは装置又は装置内のディスクに関連する他の状態情報を示すＯＳＤ情報を表示するために提供する場合もある。一般に、これらコンポーネントからのＯＳＤ情報は、２つの異なるディスプレイコンポーネントからのＯＳＤ情報が同時に表示されないように且つユーザに対して混乱させるインタフェースを提示しないように、異なる時に表示される。ＯＳＤ情報が同時に表示される場合、ユーザは、複数のコンポーネントからのＯＳＤ情報が同時に表示されないように、コンポーネントのうちの１つ又は複数を調整する場合がある。
【特許文献１】米国特許第５７２４１０４号
【発明の開示】
【発明が解決しようとする課題】
【０００３】
製造業者により販売のためにディスプレイコンポーネントがますます統合され又は結合されるに従い、異なるコンポーネントからのＯＳＤ情報が同時に表示される問題が増加する可能性がある。この問題は、コンポーネントが異なる製造業者からのものである場合に拡大する可能性がある。異なる製造業者からのＯＳＤ情報は、全体のデザイン、フォント、アイコン及び／又は色彩設計に関して互いに一致していない場合がある。さらに、異なる製造業者からのＯＳＤ情報は、装置がとり得る挙動が異なるということに関して、互いに一致していない可能性がある。たとえば、ユーザからの無効な入力を単に無視する装置もあり得るが、無効な入力を示すＯＳＤ情報をユーザに提供する装置もあり得る。結合されたコンポーネントの製造業者は、コンポーネントの組合せをよりユーザフレンドリにするようにしようとする可能性がある。したがって、統合されたディスプレイ装置のユーザに対して信頼性があり且つ一貫したインタフェースを提供することが望ましい。
【課題を解決するための手段】
【０００４】
［概要］
本発明の一形態は、システムであって、メディアコンテンツを再生するように構成されるメディアプレイヤと、メディアプレイヤに動作可能に結合されるプロジェクタと、メディアプレイヤ及びプロジェクタに動作可能に結合される制御ユニットとを具備するシステムを提供する。制御ユニットは、メディアプレイヤに関連するオンスクリーンディスプレイ状態を検出するように構成され、制御ユニットは、オンスクリーンディスプレイ状態を検出することに応じて、オンスクリーンディスプレイ状態に関連し且つメディアプレイヤによって提供される第１の情報がプロジェクタによって表示されないようにするように構成される。
【発明を実施するための最良の形態】
【０００５】
［詳細な説明］
好ましい実施形態の以下の詳細な説明では、その一部を形成する添付図面を参照し、そこでは、本発明を実施することができる特定の実施形態が例として示されている。他の実施形態を利用してもよく、本発明の範囲から逸脱することなく、構造的又は論理的変更を行ってもよい、ということが理解されるべきである。したがって、以下の詳細な説明は、限定する意味でとられるべきではなく、本発明の範囲は添付の特許請求の範囲によって定義される。
【０００６】
図１は、本発明の一実施形態によるメディアプロジェクタシステム１０を示すブロック図である。メディアプロジェクタシステム１０は、プロジェクタ１００、メディアプレイヤ１１０、ソース選択ユニット１２０、１つ又は複数のスピーカ１３０、入出力ユニット１３４及び制御ユニット１４０を備える。プロジェクタ１００、メディアプレイヤ１１０、ソース選択ユニット１２０、スピーカ１３０、入出力ユニット１３４及び制御ユニット１４０を含むメディアプロジェクションシステム１０は、ハウジング（図示せず）内に封入される。
【０００７】
プロジェクタ１００は、ランプ１０２、空間光変調器１０４、レンズ１０６及び制御ユニット１０８を備える。プロジェクタ１００は、ソース選択ユニット１２０からビデオ信号を受け取り、ビデオ信号に応じて、矢印１０９によって示すように、ランプ１０２、空間光変調器１０４、レンズ１０６及び制御ユニット１０８を使用してスクリーン又は他の面に画像が表示されるようにする。より詳細には、ランプ１０２は、空間光変調器１０４に対して光源を提供する。空間光変調器１０４は、ビデオ信号に応じてレンズ１０６を通して光源の選択された部分を反射することにより、スクリーン又は他の面に画像が投影されるようにする。制御ユニット１０８は、ランプ１０２及び空間光変調器１０４の動作を制御する。ランプ１０２は、超高圧水銀ランプ、キセノンランプ、金属ハロゲンランプ又は他の適当なプロジェクタランプであってもよい。
【０００８】
図２Ａ及び図２Ｂに示すように、空間光変調器１０４は、デジタルマイクロミラーデバイス（ＤＭＤ）又は液晶ディスプレイ（ＬＣＤ）デバイスを備えてもよい。図２Ａは、本発明の一実施形態による空間光変調器１０４Ａを示すブロック図である。図２Ｂは、本発明の別の実施形態による空間光変調器１０４Ｂの選択された部分を示すブロック図である。プロジェクタ１００は、空間光変調器１０４Ａ、空間光変調器１０４Ｂ又は別の適当な空間光変調器を備えてもよい。
【０００９】
図２Ａに示す実施形態では、空間光変調器１０４Ａは、デジタルマイクロミラーデバイス（ＤＭＤ）２０２を備える。ＤＭＤ２０２は、各々がランプ１０２からの光を反射するか又は反射しないように構成される複数の微小ミラーを備える。反射光は、レンズ１０４を通るように向けられることにより、プロジェクタ１００から離れて配置されるスクリーン又は他の面に画像を形成する。
【００１０】
図２Ｂに示す実施形態では、空間光変調器１０４Ｂは、液晶ディスプレイ（ＬＣＤ）２１２を備える。ＬＣＤ２１２は、各々がランプ１０２からの光を透過させるか又は遮蔽するように構成される複数の液晶を備える。透過光はレンズ１０４を通るように向けられることにより、プロジェクタ１００から離れて配置されるスクリーン又は他の面に画像を形成する。
【００１１】
プロジェクタ１００は、制御ユニット１０８を使用して制御ユニット１４０から制御信号を受け取る。プロジェクタ１００は、制御ユニット１０８を使用して制御ユニット１４０に情報を提供する。制御ユニット１０８は、ランプ１０２及び空間光変調器１０４に制御信号を提供する。たとえば、制御ユニット１０８は、ランプ１０２がオン又はオフするようにし且つ空間光変調器１０４に電力が提供されるように構成される。制御ユニット１０８はまた、ランプ１０２及び空間光変調器１０４に関連するエラー状態を検出しエラー状態を制御ユニット１４０に報告するように構成される。
【００１２】
メディアプレイヤ１１０は、制御ユニット１１２及びメディアドライブ１１４を備える。メディアプレイヤ１１０は、メディアコンテンツ、たとえばオーディオ及び／又はビジュアルコンテンツを、ディスク又は他のメディアからプロジェクタ１００及び／又はスピーカ１３０にソース選択ユニット１２０を使用して提供する。メディアドライブ１１４は、メディアプロジェクタシステム１０のユーザによって挿入される１つ又は複数のディスク又は他のメディアを受け入れる。ディスクは、デジタルビデオディスク（ＤＶＤ）、コンパクトディスク（ＣＤ）（たとえば、ＣＤ−ＲＯＭ、ＣＤ−Ｒ、ＣＤ−ＲＷ及びＣＤ＋ＲＷ）、若しくはオーディオ及び／又はビジュアルコンテンツを格納するように構成される他のディスクを含んでもよい。オーディオ及び／又はビジュアルコンテンツは、ＤＶＤ、ＣＤオーディオ、ＭＰ３、ＪＰＥＧ、ＱｕｉｃｋＴｉｍｅ、ＲｅａｌＡｕｄｉｏ、ＲｅａｌＶｉｄｅｏ及びＷｉｎｄｏｗｓ（登録商標）  Ｍｅｄｉａ等、さまざまなフォーマットであってもよい。メディアドライブ１１４は、ディスクからオーディオ及び／又はビジュアルコンテンツを読み出し、そのオーディオ及び／又はビジュアルコンテンツを、ソース選択ユニット１２０を通してプロジェクタ１００及び／又はスピーカ１３０に提供する。
【００１３】
メディアプレイヤ１１０は、制御ユニット１１２を使用して制御ユニット１４０から制御信号を受け取る。メディアプアレイヤ１１０は、制御ユニット１１２を使用して情報を制御ユニット１４０に提供する。制御ユニット１０８は、メディアドライブ１１４に制御信号を提供する。
【００１４】
ソース選択ユニット１２０は、メディアプレイヤ１１０、制御ユニット１４０及び外部ソースから、オーディオ／ビデオ入力（Ａ／Ｖ  ＩＮ）信号を受け取る（矢印１２２によって示す）。ソース選択ユニット１２０は、プロジェクタ１００、スピーカ１３０及びＡ／Ｖポートにオーディオ／ビデオ出力（Ａ／Ｖ  ＯＵＴ）を提供する（矢印１２４によって示す）。より詳細には、ソース選択ユニット１２０は、制御ユニット１４０からの制御信号に応じて、メディアプレイヤ１１０、制御ユニット１４０又は外部ソースからのオーディオ／ビデオ入力を選択する。ソース選択ユニット１２０は、選択されたオーディオ／ビデオ入力をオーディオ／ビデオ出力としてプロジェクタ１００、スピーカ１３０及びＡ／Ｖポートに提供する。ソース選択ユニット１２０を、オーディオ／ビデオ出力をプロジェクタ１００、スピーカ１３０又はＡ／Ｖポートに選択的に提供するように構成してもよい。
【００１５】
スピーカ１３０は、ソース選択ユニット１２０からオーディオ入力を受け取り、矢印１３２によって示すように、オーディオ入力に応じて可聴音声を生成する。スピーカ１３０は、スピーカ１３０による増幅のためにオーディオ入力を変更する音声処理を含んでもよい。スピーカ１３０は、制御ユニット１４０から制御信号を受け取る。
【００１６】
入出力（Ｉ／Ｏ）ユニット１３４は、１つ又は複数の統合コントロールデバイス１３６と、外部機器（図示せず）又はユーザがメディアプロジェクタシステム１０と通信するのを可能にするように構成される１つ又は複数のポートとを備える。ポートは、メディアプロジェクタユニット１０のためにリモートコントロールデバイス１３８から信号を提供するように構成される赤外線（ＩＲ）ポートと、外部機器との間で情報を転送するための他の任意の適当なポートとを含んでもよい。統合コントロールデバイス１３６は、キーパッド、ボタン、ダイアル、ＬＥＤ、及びユーザから情報を受け取り且つ／又はユーザに情報を提供する他の任意の適当なＩ／Ｏデバイスを含んでもよい。
【００１７】
制御ユニット１４０は、プロセッサ１４２と、不揮発性メモリ１４４、たとえばフラッシュメモリとを備える。不揮発性メモリ１４４は、マネージャモジュール１５２、プロジェクタモジュール１５４、メディアプレイヤモジュール１５６、ソースモジュール１５８、入出力モジュール１６０及びオンスクリーンディスプレイ（ＯＳＤ）情報１６２を含むファームウェア１５０を含む。ファームウェア１５０及び各モジュール１５２、１５４、１５６、１５８及び１６０は、制御ユニット１４０により機能が実行されるようにする、プロセッサ１４２によって実行可能な命令を含む。オンスクリーンディスプレイ（ＯＳＤ）情報１６２は、スピーカ１３０によって再生され且つ／又はプロジェクタ１００によって表示されるために適したオーディオ及び／又はビジュアルコンテンツを含む。
【００１８】
制御ユニット１４０は、プロセッサ１４２がファームウェア１５０からの命令を実行するのに応じて、プロジェクタ１００、メディアプレイヤ１１０、ソース選択ユニット１２０、スピーカ１３０及びＩ／Ｏユニット１３４を制御する制御信号を生成する。より詳細には、プロセッサ１４２は、マネージャモジュール１５２を実行することにより、プロジェクタモジュール１５４、メディアプレイヤモジュール１５６、ソースモジュール１５８及び入出力モジュール１６０を使用してメディアプロジェクタシステム１０の動作全体を制御する。さらに、プロセッサ１４２は、プロジェクタモジュール１５４、メディアプレイヤモジュール１５６、ソースモジュール１５８及び入出力モジュール１６０を実行して、プロジェクタ１００、メディアプレイヤ１１０、ソース選択ユニット１２０及びＩ／Ｏユニット１３４の動作をそれぞれ制御する。
【００１９】
他の実施形態では、制御ユニット１４０は、このような機能を実行するように構成されるハードウェア及び／又はソフトウェアコンポーネントの他の組合せを含んでもよい。不揮発性メモリ１４４は、ファームウェア１５０を格納するように構成される１つのタイプのメディアを備え、それにより、プロセッサ１４２がファームウェア１５０の命令にアクセスしそれらを実行することができる。他の実施形態では、ファームウェア１５０を、他のタイプのポータブル又は非ポータブルメディアに格納してもよい。
【００２０】
動作時、メディアプロジェクタシステム１０は、メディアプレイヤ１１０によって提供されるオンスクリーンディスプレイ（ＯＳＤ）情報の表示を選択的に禁止するようにソース選択ユニット１２０を操作する。ＯＳＤ情報は、スプラッシュスクリーン、プロジェクタ１００又はメディアプレイヤ１１０を制御するために使用されるメニュー又は他のグラフィカル要素（たとえば、ビデオ再生の速度を高速化又は低速化するスライダ又はキーコントロール）、メディアプロジェクタシステム１０又はメディアプレイヤ１１０の状態を示すシンボル（たとえば、一時停止又は早送りシンボル）、並びにメディアプレイヤ１１０がプロジェクタ１００を使用して表示しようと試みる他のテキスト、グラフィカル又はシンボル要素を含む。ＯＳＤ表示情報は、メディアプレイヤ１１０内のディスクからのコンテンツ、たとえばメディアプレイヤ１１０内のＤＶＤからのＤＶＤコンテンツは含まない。メディアプロジェクタシステム１０は、メディアプレイヤ１１０によって提供される任意のＯＳＤ情報の代りに代替ＯＳＤ情報を表示してもよい。
【００２１】
ＯＳＤ情報が表示されないようにするために、メディアプロジェクタシステム１０は、メディアプレイヤ１１０に関連するオンスクリーンディスプレイ（ＯＳＤ）状態を検出する。ＯＳＤ状態は、メディアプレイヤ１１０が、ＯＳＤ情報を表示されるためにプロジェクタ１００に提供するようになる、任意の状態を含む。ＯＳＤ状態は、統合コントロールデバイス１３６又はリモートコントロールデバイス１３８からのユーザ入力、メディアプレイヤ１１０の状態、及び、メディアプレイヤ１１０に対しＯＳＤ情報を表示されるためにプロジェクタ１００に提供させるように設定される他の既知の状態を含む。たとえば、メディアプレイヤ１１０を、起動され且つ／又は一時停止されることに応じてスプラッシュスクリーンを表示するように構成してもよい。メディアプレイヤ１１０の起動及び／又は一時停止は、ＯＳＤ状態を含んでもよい。別の一例として、メディアプレイヤ１１０を、ユーザが統合コントロールデバイス１３６又はリモートコントロールデバイス１３８を使用して選択する再生、停止、一時停止、巻戻し及び早送り等のディスク操作に関連するグラフィカルアイコンを表示するように構成してもよい。これらディスク操作は、ＯＳＤ状態を含んでもよい。
【００２２】
図３は、本発明の一実施形態によるメディアプロジェクタシステム１０によって表示されるＯＳＤ情報を管理する方法を示すフローチャートである。図３において、ブロック３０２に示すように、メディアプロジェクションシステム１０により、ディスク再生状態が検出されたか否かについて判断が行われる。ディスク再生状態は、メディアドライブ１１４内のディスクがメディアプレイヤ１１０によって再生されることにより、ディスクのオーディオ及び／又はビジュアルコンテンツがメディアプレイヤ１１０からプロジェクタ１００及び／又はスピーカ１３０に提供されることを示す。ディスク再生状態を、任意の数の状態に応じて開始してもよい。たとえば、ディスク再生状態を、メディアドライブ１１４にディスクが挿入されることに応じて開始してもよい。ディスク再生状態を、メディアプレイヤ１１０内のディスクが再生されるように要求する、Ｉ／Ｏユニット１３４からのユーザ入力に応じて開始してもよい。Ｉ／Ｏユニット１３４は、統合コントロールデバイス１３６又はリモートコントロールデバイス１３８からユーザ入力を受け取ってもよい。
【００２３】
ディスク再生状態が検出されなかった場合、メディアプロジェクタシステム１０は、後にブロック３０２の機能を繰り返す。ディスク再生状態が検出された場合、ブロック３０４に示すように、メディアプロジェクタシステム１０により、メディアプレイヤ１１０内のディスクがＤＶＤであるか否かについて判断がなされる。メディアプレイヤ１１０内のディスクがＤＶＤでない場合、ブロック３０６に示すように、メディアプロジェクタシステム１０は、メディアプレイヤ１１０からのオンスクリーンディスプレイ（ＯＳＤ）情報がプロジェクタ１００によって表示され得るようにする。
【００２４】
メディアプレイヤ１１０内のディスクがＤＶＤである場合、ブロック３０８に示すように、メディアプロジェクタシステム１０により、オンスクリーンディスプレイ（ＯＳＤ）状態が検出されたか否かについて判断がなされる。ＯＳＤ状態が検出されなかった場合、メディアプロジェクタシステム１０は、後にブロック３０８の機能を繰り返す。ＯＳＤ状態が検出された場合、ブロック３１０に示すように、メディアプロジェクタシステム１０は、メディアプレイヤ１１０からのＯＳＤ情報がプロジェクタ１００によって表示されないようにする。メディアプロジェクタシステム１０は、メディアプレイヤ１１０からのビデオ信号がプロジェクタ１００に提供されないようにすることによって、ＯＳＤ情報が表示されないようにしてもよい。メディアプロジェクタシステム１０はまた、メディアプレイヤ１１０によって提供されるＯＳＤ情報の代りに、代替ＯＳＤ情報が表示されるようにしてもよい。
【００２５】
ブロック３１２に示すように、メディアプロジェクタシステム１０により、ディスク停止状態が検出されたか否かについて判断がなされる。ディスク停止状態が検出されなかった場合、メディアプロジェクタシステム１０はブロック３０８の機能を繰り返す。ディスク停止状態が検出された場合、方法は図示するように終了する。
【００２６】
図４Ａ及び図４Ｂは、本発明の一実施形態による、メディアプロジェクタシステム１０によって表示されるＯＳＤ情報を、制御ユニット１４０を使用して制御する方法を示すフローチャートである。図４Ａにおいて、ブロック４０２に示すように、制御ユニット１４０により、ディスク再生状態が検出されたか否かについて判断がなされる。制御ユニット１４０は、入出力モジュール１６０が、たとえばユーザが統合コントロールデバイス１３６又はリモートコントロールデバイス１３８の再生ボタンを押下することにより、メディアプレイヤ１１０内のディスクが再生されるように要求する、Ｉ／Ｏユニット１３４からのユーザ入力を検出することに応じて、ディスク再生状態を検出する。入出力モジュール１６０は、ディスク再生状態を検出することに応じてマネージャモジュール１５２に通知を行う。制御ユニット１４０はまた、ユーザがメディアドライブ１１４にディスクを挿入した場合にメディアプレイヤモジュール１５６がメディアプレイヤ１１０からディスク再生通知を受け取ることに応じて、ディスク再生状態を検出する。メディアプレイヤモジュール１５６は、ディスク再生状態を検出することに応じて、マネージャモジュール１５２に通知を行う。
【００２７】
ディスク再生状態が検出されなかった場合、制御ユニット１４０は後にブロック４０２の機能を繰り返す。ディスク再生状態が検出された場合、ブロック４０４に示すように、制御ユニット１４０は、ディスクが再生されるようにメディアプレイヤ１１０に信号を提供する。
【００２８】
ブロック４０６に示すように、制御ユニット１４０により、メディアプレイヤ１１０内のディスクがＤＶＤであるか否かについて判断がなされる。より詳細には、メディアプレイヤモジュール１５６は、メディアプレイヤ１１０から受け取った、メディアプレイヤ１１０内のディスクがＤＶＤであるか否かを示す情報を検査する。メディアプレイヤモジュール１５６は、メディアプレイヤ１１０内のディスクがＤＶＤであるか否かについてマネージャモジュール１５２に通知する。メディアプレイヤ１１０内のディスクがＤＶＤでない場合、ブロック４０８に示すように、制御ユニット１４０は、メディアプレイヤ１１０からのビデオ信号がプロジェクタ１００に提供されるように、ソース選択ユニット１２０に信号を提供する。特に、マネージャモジュール１５２は、制御ユニット１４０に対し、ソース選択ユニット１２０に信号を提供させる。そうすることにより、マネージャモジュール１５２は、ＯＳＤ情報が、表示されるためにメディアプレイヤ１１０からプロジェクタ１００に提供されることを可能にする。ソース選択ユニット１２０は、制御ユニット１４０から信号を受け取ることに応じて、ＯＳＤ情報を含むビデオ信号が、表示されるためにプロジェクタ１００に提供されるのを可能にする。
【００２９】
メディアプレイヤ１１０内のディスクがＤＶＤである場合、ブロック４１０に示すように、制御ユニット１４０により、オンスクリーンディスプレイ（ＯＳＤ）状態が検出されたか否かについて判断がなされる。より詳細には、マネージャモジュール１５２は、ＯＳＤ状態を検出するために、メディアプレイヤモジュール１５６及び入出力モジュール１６０によって受け取られる入力を監視する。マネージャモジュール１５２は、メディアプレイヤに対し、ＯＳＤ情報を、表示されるためにプロジェクタ１００に提供させるように設定された、メディアプレイヤ１１０の状態を検出する、メディアプレイヤモジュール１５６からの信号に応じて、ＯＳＤ状態を検出する。マネージャモジュール１５２はまた、メディアプレイヤに対し、ＯＳＤ情報を、表示されるためにプロジェクタ１００に提供させるように設定された、統合コントロールデバイス１３６又はリモートコントロールデバイス１３８からのユーザ入力を検出する、入出力モジュール１６０からの信号に応じて、ＯＳＤ情報を検出する。
【００３０】
ＯＳＤ状態が検出されなかった場合、制御ユニット１４０は、後にブロック４１０の機能を繰り返す。ＯＳＤ状態が検出された場合、ブロック４１２に示すように、制御ユニット１４０は、メディアプレイヤ１１０からのビデオ信号がプロジェクタ１００に提供されないように、ソース選択ユニット１２０に信号を提供する。より詳細には、マネージャモジュール１５２は、制御ユニット１４０に対し、信号を生成させその信号をソース選択ユニット１２０に提供させる。ソース選択ユニット１２０は、制御ユニット１４０から信号を受け取ることに応じて、ＯＳＤ情報を含むビデオ信号が、表示されるためにプロジェクタ１００に提供されないようにする。
【００３１】
図４Ｂを参照すると、ブロック４１４によって示すように、制御ユニット１４０は、適切な場合、ＯＳＤ状態に関連するＯＳＤ情報の代りに代替ＯＳＤ情報がプロジェクタ１００によって表示されるようにする。選択されたＯＳＤ状態に応じて、マネージャモジュール１５２は、メディアプレイヤ１１０によって提供されるＯＳＤ情報の代りに、ＯＳＤ情報１６２からの代替ＯＳＤ情報が、表示されるためにソース選択ユニット１２０を通してプロジェクタ１００に提供されるようにする。
【００３２】
代替の実施形態では、マネージャモジュール１５２は、ソース選択ユニット１２０を使用せずに、ＯＳＤ情報１６２からの代替ＯＳＤ情報が直接プロジェクタ１００に提供されるようにする。本実施形態では、代替ＯＳＤ情報は、メディアプレイヤ１１０からのＯＳＤ情報が表示されないようにメディアプレイヤ１１０からのＯＳＤ情報の上に重なる。
【００３３】
ブロック４１６によって示すように、制御ユニット１４０は、適切な場合、ＯＳＤ状態に関する信号をメディアプレイヤ１１０に提供する。マネージャモジュール１５２は、選択されたＯＳＤ状態に応じて、メディアプレイヤモジュール１５６に対し、ＯＳＤ状態に関連する信号をメディアプレイヤ１１０に提供させる。たとえば、ＯＳＤ状態は、リモートコントロールデバイス１３８からの一時停止信号に応じて検出されたディスク一時停止状態であってもよい。したがって、マネージャモジュール１５２は、メディアプレイヤモジュール１５６に対し、メディアプレイヤ１１０にディスクの再生を一時停止させるように、メディアプレイヤ１１０に信号を提供させる。制御ユニット１４０により、再生、停止、巻戻し及び早送り等の他のディスク操作を同様に処理してもよい。
【００３４】
ブロック４１８に示すように、制御ユニット１４０により、ディスク停止状態が検出されたか否かの判断がなされる。ディスク停止状態が検出されなかった場合、制御ユニット１４０はブロック４１０の機能を繰り返す。ディスク停止状態が検出された場合、ブロック４２０に示すように、制御ユニット１４０は、適切な場合、メディアプレイヤ１１０内のディスクの再生が停止されるようにメディアプレイヤ１１０に信号を提供する。
【産業上の利用可能性】
【００３５】
本明細書で説明した実施形態は、従来の解決法を上回る利点を提供することができる。たとえば、プロジェクタ及びメディアプレイヤを含むメディアプロジェクタシステムは、ユーザに対し信頼性が高く且つ一貫したインタフェースを提供することができる。
【００３６】
本明細書では、好ましい実施形態を説明する目的で特定の実施形態を例示し説明したが、当業者には、本発明の範囲から逸脱することなく、図示し説明した特定の実施形態の代りに多種多様な代替の及び／又は均等な実施態様を用いてもよい、ということが理解されよう。機械、電気機械、電気及びコンピュータ技術における当業者は、本発明を非常に多種多様の実施形態で実施することができる、ということを容易に理解するであろう。本出願は、本明細書で論考した好ましい実施形態のいかなる適応又は変形をも包含するように意図されている。したがって、本出願は、特許請求の範囲及びその均等物によってのみ限定される、ということが明確に意図されている。
【図面の簡単な説明】
【００３７】
【図１】本発明の一実施形態によるメディアプロジェクタシステムを示すブロック図である。
【図２Ａ】本発明の一実施形態による空間光変調器を示すブロック図である。
【図２Ｂ】本発明の一実施形態による空間光変調器を示すブロック図である。
【図３】本発明の一実施形態によるメディアプロジェクタシステムによって表示される情報を管理する方法を示すフローチャートである。
【図４Ａ】本発明の一実施形態によるメディアプロジェクタシステムによって表示される情報を制御する方法の第１の部分を示すフローチャートである。
【図４Ｂ】本発明の一実施形態によるメディアプロジェクタシステムによって表示される情報を制御する方法の第２の部分を示すフローチャートである。
【符号の説明】
【００３８】
１０・・・メディアプロジェクタシステム
１００・・・プロジェクタ
１０２・・・ランプ
１０４・・・空間光変調器
１０６・・・レンズ
１０８，１１２，１４０・・・制御
１１０・・・メディアプレイヤ
１１４・・・メディアドライブ
１２０・・・ソース選択
１３０・・・スピーカ
１３４，１６０・・・入出力
１３６・・・統合コントロールデバイス
１３８・・・リモートコントロールデバイス
１４２・・・プロセッサ
１４４・・・不揮発性メモリ
１５０・・・ファームウェア
１５２・・・マネージャ
１５４・・・プロジェクタ
１５６・・・メディアプレイヤ
１５８・・・ソース
２０２・・・デジタルマイクロミラーデバイス
２１２・・・液晶ディスプレイ
【図１】
2008506313.tif 000003
【図２Ａ】
2008506313.tif 000004
【図２Ｂ】
2008506313.tif 000005
【図３】
2008506313.tif 000006
【図４Ａ】
2008506313.tif 000007
【図４Ｂ】
2008506313.tif 000008
【国際調査報告】
2008506313.tif 000009
2008506313.tif 000010